(57)【特許請求の範囲】
【請求項１】
洗濯機の下方に配置された防水パンに取り付けられる排水トラップにおいて、
洗濯機からの排水が流入する第一流路と、
防水パンからの排水が流入する第二流路と、
第一流路及び第二流路からの排水が排出される排出口と、
前記第一流路又は第二流路から流入した排水を貯留して封水を形成する封水部と、
前記第二流路に設けられて、下流側からの排水等の逆流を防止する逆流防止機構を備える逆止め弁と、から成り、
前記逆止め弁は、略筒体状にして可撓性を有する素材からなり、筒体の一方へ流れようとする気体、液体、泡などの流体の圧力に対して弾性変形して筒体内部を開口して流体を通過させると共に、筒体の他方へ流れようとする流体の圧力に対しては筒体が閉塞した状態を維持して流体の通過を防止する逆止め弁であって、
前記逆止め弁は、平時には筒体の一部において内面同士が当接することで筒体が閉塞している状態を維持し、且つその下端が封水よりも上方に位置し、
第二流路からの排水は、封水部を通過しなくとも排出口から排出可能に構成されていることを特徴とする排水トラップ。
【請求項２】
洗濯機の下方に配置された防水パンに取り付けられる排水トラップにおいて、
洗濯機からの排水が流入する第一流路と、
防水パンからの排水が流入する第二流路と、
第一流路及び第二流路からの排水が排出される排出口と、
前記第一流路又は第二流路から流入した排水を貯留して封水を形成する封水部と、
前記第二流路に設けられて、下流側からの排水等の逆流を防止する逆流防止機構を備える逆止め弁と、から成り、
前記逆止め弁は、一方へ流れようとする気体、液体、泡などの流体の圧力に対して弁体が回動することによって開口して流体を通過させると共に、他方へ流れようとする流体の圧力に対しては弁体が閉塞した状態を維持して流体の通過を防止する逆止め弁であって、
前記逆止め弁は、平時には第二流路に設けられた当接部と弁体が当接することで閉塞している状態を維持するよう、当接部に向けて力が加えられていると共に、
第二流路からの排水は、封水部を通過しなくとも排出口から排出可能に構成されていることを特徴とする排水トラップ。
【請求項３】
洗濯機の下方に配置された防水パンに取り付けられる排水トラップにおいて、洗濯機からの排水が流入する第一流路と、
防水パンからの排水が流入する第二流路と、
第一流路及び第二流路からの排水が排出される排出口と、
前記第一流路又は第二流路から流入した排水を貯留して封水を形成する封水部と、
前記第二流路に設けられて、下流側からの排水等の逆流を防止する逆流防止機構を備える逆止め弁と、から成り、
前記逆止め弁は、弁体を当接部に向けて付勢する付勢機構を有し、平時には第二流路に設けられた当接部と弁体が当接することで閉塞している状態を維持し、一方へ流れようとする気体、液体、泡などの流体の圧力に対して弁体が上下又は左右に可動することによって開口して流体を通過させると共に、他方へ流れようとする流体の圧力に対しては弁体が閉塞した状態を維持して流体の通過を防止する逆止め弁であると共に、
第二流路からの排水は、封水部を通過しなくとも排出口から排出可能に構成されていることを特徴とする排水トラップ。
【請求項４】
前記付勢機構が弾性体又は磁力によるものであることを特徴とする請求項３に記載の排水トラップ。
【請求項５】
前記逆止め弁が第二流路から着脱可能に形成されていることを特徴とする請求項１乃至請求項４のいずれか１つに記載の排水トラップ。
【請求項６】
前記排水トラップにおいて、第二流路からの排水は、封水部に流入した後、封水によって流路が満水状態となっている部分を通過しなくとも封水部の外側に排出されることが可能であることを特徴とする請求項１乃至請求項５のいずれか１つに記載の排水トラップ。
【発明の詳細な説明】
【技術分野】
【０００１】
本発明は、洗濯機の下方に配置された防水パンに取り付けられる排水装置に関するものである。
【背景技術】
【０００２】
通常、洗濯機、特に集合住宅に設置される洗濯機は防水パンの上に配置されている。
【０００３】
防水パンは洗濯機が載置される台座を四隅に備えるとともに、外周に壁部が形成された箱状であって、底面に開口を有している。当該開口には排水トラップと呼ばれる排水機器を取り付けられており、防止パン上に生じた排水を下水へと排出するための排水口を形成している。
上記防水パンに取り付けられる排水トラップは、洗濯機からの排水を排出する第一流路と、防水パンからの排水を排出する第二流路を形成しており、排水トラップ内部で第一流路と第二流路が合流するように形成されている。又、排水トラップは内部に排水を貯留可能な封水部を有しており、貯留された排水によって排水流路を満水／水封状態にすることで、下流側から屋内に臭気や害虫が侵入することを防ぐトラップ機能を形成する。
上記構造により、防水パンは、洗濯機の故障や接続不良等により排水が生じた際、室内が水浸しになることを防ぐことができるとともに、排水トラップを通じて排水を下水へと排出することができる。
【０００４】
しかし、上記排水トラップは、洗濯機からの排水を排出する第一流路において多量の排水が生じた際、該排水が第二流路へと逆流してしまい、防水パン上に溢れ出しまうという問題があった。
【０００５】
上記問題の解決のために、第二流路に逆止め弁と呼ばれる逆流防止装置を設けた排水トラップが知られている。
逆止め弁は一方へと流れようとする気体、液体、泡等の流体が生じた際はその圧力に対して第二流路を開口し、流体を下流側へと排出することが可能であり、逆に、他方へと流れようとする流体が生じた際はその圧力に対して第二流路を閉塞し、流体が上流側へと逆流することを防ぐ構造となっている。
【０００６】
特許文献１には第二流路にフロート式逆止め弁を設けた排水トラップが記載されている。フロート式逆止め弁はフロートと呼ばれる、水よりも比重の軽い弁体を利用し、下流側からの流体が生じた際には弁体が排水によって上昇し、第二流路を閉塞することで逆流を防ぐことができる。しかし、洗濯機から排出される排水は洗剤によって泡立てられた、泡混じりの排水であることが多い。当該泡混じりの排水は内部に空気を含んでいることから体積あたりの質量が小さく、弁体が逆止め弁が正常に作動しないことが多く、排水の逆流を確実に防ぐことは困難であった。
特許文献２には第二流路に自封式逆止め弁を設けた排水トラップが記載されている。自封式逆止め弁は略筒体状であって可撓性を有するゴムやシリコン等の素材から成り、端部において筒体の内面同士が当接することによって流路を閉塞する構造となっている。特許文献２に記載の自封式逆止め弁は第二流路に対して水密に接続されており、下流側からの流体が生じた際には、筒体の端部が閉塞を維持して第二流路を閉塞することで逆流を防ぐことができる。そして、上流側からの流体が生じた際には、当該流体の圧力によって端部が押し広げられて開口し、排水を下水側へと排出する構造となっている。しかし、特許文献２に記載の自封式逆止め弁はその端部が封水内に浸されており、劣化が激しいという問題があった。自封式逆止め弁が劣化した場合、端部が常に開口状態となってしまうことがあり、当該状態においては下流側からの逆流を防ぐことが困難であった。
特許文献３には第二流路にスイング式逆止め弁を設けた排水トラップが記載されている。スイング式逆止め弁は板状の弁体を有し、当該弁体の一端が回動可能に固定（軸支）されており、下流側からの流体が生じた際には弁体が第二流路を閉塞することで逆流を防ぐことができる。そして、上流側からの流体が生じた際には、当該流体の圧力によって弁体が回動して開口し、排水を下水側へと排出する構造となっている。しかし、特許文献３に記載のスイング式逆止め弁は、その上方が回動可能に固定されており、上流側及び下流側から正圧も負圧も付与されていない状態において閉塞状態を維持している。しかし、当該閉塞状態においては弁体の下端が自重によって下方を向いているだけである。従って、弁体は容易に開口可能であり、下流側からの流体が生じた際には弁体が閉塞できないことがあった。  
【先行技術文献】
【特許文献】
【０００７】
【特許文献１】特開２００１−２００５６５号公報
【特許文献２】特開２０１０−７３５８号公報
【特許文献３】実登３０５０１１３号公報
【発明の概要】
【発明が解決しようとする課題】
【０００８】
上記のように、洗濯機用防水パンに取り付けられる、第二流路に各種逆止め弁を設けた排水トラップは、それぞれにおいて何らかの問題点を有している。そこで、本発明においては、従来の第二流路に各種逆止め弁を設けた排水トラップが有する、１．逆流防止機能の向上、２．逆止め弁の劣化防止、等の課題を解決するための排水トラップの提供を課題とする。
【課題を解決するための手段】
【０００９】
上記課題を解決するための請求項１に記載の本発明は、洗濯機の下方に配置された防水パンに取り付けられる排水トラップにおいて、
洗濯機からの排水が流入する第一流路と、
防水パンからの排水が流入する第二流路と、
第一流路及び第二流路からの排水が排出される排出口と、
前記第一流路又は第二流路から流入した排水を貯留して封水を形成する封水部と、
前記第二流路に設けられて、下流側からの排水等の逆流を防止する逆流防止機構を備える逆止め弁と、から成り、
前記逆止め弁は、略筒体状にして可撓性を有する素材からなり、筒体の一方へ流れようとする気体、液体、泡などの流体の圧力に対して弾性変形して筒体内部を開口して流体を通過させると共に、筒体の他方へ流れようとする流体の圧力に対しては筒体が閉塞した状態を維持して流体の通過を防止する逆止め弁であって、
前記逆止め弁は、平時には筒体の一部において内面同士が当接することで筒体が閉塞している状態を維持し、且つその下端が封水よりも上方に位置し、
第二流路からの排水は、封水部を通過しなくとも排出口から排出可能に構成されていることを特徴とする排水トラップである。
【００１０】
請求項２に記載の本発明は、洗濯機の下方に配置された防水パンに取り付けられる排水トラップにおいて、
洗濯機からの排水が流入する第一流路と、
防水パンからの排水が流入する第二流路と、
第一流路及び第二流路からの排水が排出される排出口と、
前記第一流路又は第二流路から流入した排水を貯留して封水を形成する封水部と、
前記第二流路に設けられて、下流側からの排水等の逆流を防止する逆流防止機構を備える逆止め弁と、から成り、
前記逆止め弁は、一方へ流れようとする気体、液体、泡などの流体の圧力に対して弁体が回動することによって開口して流体を通過させると共に、他方へ流れようとする流体の圧力に対しては弁体が閉塞した状態を維持して流体の通過を防止する逆止め弁であって、
前記逆止め弁は、平時には第二流路に設けられた当接部と弁体が当接することで閉塞している状態を維持するよう、当接部に向けて力が加えられていると共に、
第二流路からの排水は、封水部を通過しなくとも排出口から排出可能に構成されていることを特徴とする排水トラップである。
【００１１】
請求項３に記載の本発明は、洗濯機の下方に配置された防水パンに取り付けられる排水トラップにおいて、洗濯機からの排水が流入する第一流路と、
防水パンからの排水が流入する第二流路と、
第一流路及び第二流路からの排水が排出される排出口と、
前記第一流路又は第二流路から流入した排水を貯留して封水を形成する封水部と、
前記第二流路に設けられて、下流側からの排水等の逆流を防止する逆流防止機構を備える逆止め弁と、から成り、
前記逆止め弁は、弁体を当接部に向けて付勢する付勢機構を有し、平時には第二流路に設けられた当接部と弁体が当接することで閉塞している状態を維持し、一方へ流れようとする気体、液体、泡などの流体の圧力に対して弁体が上下又は左右に可動することによって開口して流体を通過させると共に、他方へ流れようとする流体の圧力に対しては弁体が閉塞した状態を維持して流体の通過を防止する逆止め弁であると共に、
第二流路からの排水は、封水部を通過しなくとも排出口から排出可能に構成されていることを特徴とする排水トラップである。
【００１２】
請求項４に記載の本発明は、前記付勢機構が弾性体又は磁力によるものであることを特徴とする請求項３に記載の排水トラップである。
【００１３】
請求項５に記載の本発明は、前記逆止め弁が第二流路から着脱可能に形成されていることを特徴とする請求項１乃至請求項４のいずれか１つに記載の排水トラップである。
【００１４】
請求項６に記載の本発明は、前記排水トラップにおいて、第二流路からの排水は、封水部に流入した後、封水によって流路が満水状態となっている部分を通過しなくとも封水部の外側に排出されることが可能であることを特徴とする請求項１乃至請求項５のいずれか１つに記載の排水トラップである。
【発明の効果】
【００１５】
請求項１に記載の本発明によれば、逆止め弁が平時において第二流路を閉塞していることにより、第一流路より泡混じりの排水等、比重の軽い流体が流入しても、第二流路より逆流することを防ぐことができる。又、逆止め弁の下端が封水よりも上方に位置していることから、逆止め弁の劣化を抑えることができる。
請求項２に記載の本発明によれば、逆止め弁が平時において第二流路を閉塞していることにより、第一流路より泡混じりの排水等、比重の軽い流体が流入しても、第二流路より逆流することを防ぐことができる。
請求項３及び請求項４に記載の本発明によれば、逆止め弁が平時において第二流路を閉塞していることにより、第一流路より泡混じりの排水等、比重の軽い流体が流入しても、第二流路より逆流することを防ぐことができる。
請求項５に記載の本発明によれば、逆止め弁を第二流路から着脱可能とすることにより、逆止め弁の清掃性を向上させることができる。
【００１６】
尚、ここにいう「平時」とは、上流からの流体の流入や、下流からの流体の逆流等の生じていない普段の状態を指す。
【図面の簡単な説明】
【００１７】
【図１】本発明の排水トラップが取り付けられている状態を示す参考図である。
【図２】第一実施形態に係る排水トラップを示す断面図である。
【図３】第一実施形態に係る逆止め弁が開口している状態及び排水の流れを示す断面図である。
【図４】第二実施形態に係る排水トラップを示す断面図である。
【図５】第二実施形態に係る逆止め弁が開口している状態及び排水の流れを示す断面図である。
【図６】第三実施形態に係る排水トラップを示す断面図である。
【図７】第三実施形態に係る逆止め弁が開口している状態及び排水の流れを示す断面図である。
【図８】第四実施形態に係る排水トラップを示す断面図である。
【図９】第四実施形態に係る逆止め弁が開口している状態及び排水の流れを示す断面図である。
【発明を実施するための形態】
【００１８】
以下、図面を参照しながら本発明の排水トラップを説明する。尚、以下に記載する説明は実施形態の理解を容易にするためのものであり、これによって発明が制限して理解されるものではない。又、以下の実施形態においては図２、図４、図６に示す状態を基準として位置関係を説明する。
【００１９】
以下に、本発明の第一実施形態について図１、図２及び図３を用いて説明する。
【００２０】
図１に示すように、本実施形態に係る排水トラップ１は、設備機器としての洗濯機１００の下方に配置された防水パン２００の開口に取り付けられている。
【００２１】
防水パン２００は平面視略正方形であって、その四隅に洗濯機１００を載置するための台座部を備えるとともに、外周が壁部によって覆われた略箱状であり、底面において円形の開口を有している。当該開口には排水トラップ１が取り付けられている。
【００２２】
図２に示すように、排水トラップ１は、洗濯機１００及び防水パン２００上の排水を下水側へと排出処理するための部材であって、フランジ部４、本体部７、封水部９、蓋部材１１、逆止め弁２０、エルボ２１より構成されている。又、排水トラップ１は、洗濯機１００からの排水が流入する第一流路２と、防水パン２００からの排水が流入する第二流路３を有している。
上記排水トラップ１は封水部９の内部に排水が貯留可能であり、当該封水部９に貯留された排水を「封水」という。そして、当該封水が貯留されている状態において、下流からの臭気、害虫等が屋内へと逆流することを防ぐトラップ機能を形成することができる。
【００２３】
フランジ部４は円筒状であって、その上端において外側に延出された外フランジ５を有するとともに、下端において内側に延出された内フランジ６を有している。又、フランジ部４は外周において雄螺子が形成されており、後述する本体部７と螺合されている。尚、フランジ部４の外周は前記防水パン２００の開口よりも小径であり、外フランジ５は防水パン２００の開口よりも大径に形成されている。
【００２４】
本体部７は有底略円筒状にして側面に排出口８を備えるとともに上方に開口部を備え、当該開口部において上記フランジ部４の雄螺子部と螺合する雌螺子部が形成されている。
【００２５】
封水部９は有底筒状であってその上方が開口された箱状であって、側面上部において、周方向に複数の切り欠き１０が形成されている。切り欠き１０は略四角形であって、封水部９は切り欠き１０下端まで排水（封水）を貯留することができる。尚、封水部９はその上端がフランジ部４の下端に設けられた内フランジ部分に載置されている。
【００２６】
蓋部材１１は第一開口１２、第二開口１３、防臭筒１４、逆止め弁２０より構成された円形の蓋体であって、本体部７の上方を閉塞するとともに、その上端がフランジ部４の上端と略面一となるようにフランジ部４内部に配置されている。
第一開口１２は後述するエルボ２１が取り付けられて、洗濯機１００からの排水を流出させる第一流路２を形成する開口であって、裏面より防臭筒１４が延設されている。
第二開口１３は防水パン２００上に生じた排水を流出させる第二流路３を形成する開口であって、逆止め弁２０を形成する弁体１９が取り付けられている。
防臭筒１４は第一開口１２の裏面より垂設された円筒部であって、施工完了状態において、防臭筒１４の下端は、前記封水部９の底面よりも上方且つ切り欠き１０の下端よりも下方に配置されている。
逆止め弁２０は取付部２２、弁体１９から構成され、第二開口１３の上方から差し込まれることによって着脱可能に取り付けられている。取付部２２は円筒状であって、外径が第二開口１３の内径と略同一に形成され、下端には弁体１９が取り付けられている。弁体１９は円筒形の略筒体状にして可撓性を有するシリコンやゴム等の素材から成り、その正面及び背面において、上流側から下流側に向かうにつれて漸次近接する傾斜面を有し、当該傾斜面の内面同士が当接することで筒体が閉塞している状態を維持している。従って、逆止め弁２０に対して上流からの流体の流入や、下流からの流体の逆流が生じていない状態（以下、「平時」）において逆止め弁２０は閉塞状態を維持している。
又、逆止め弁２０は第二開口１３の上方から差し込まれることで着脱可能に取り付けられており、弁体１９の端部が上記封水部９の切り欠き１０下端よりも上方に位置するように配置されている。従って、封水部９の内部に排水が貯留された状態であっても、弁体１９は排水に浸されない位置に配置されている。上記逆止め弁２０は上流側から流体の圧力に対しては弁体１９が弾性変形し、逆止め弁２０の内面同士の当接が押し広げられることによって開口するが、下流側からの流体の圧力に対しては内面同士の当接による閉塞が維持されることによって流体の通過を防止する。
【００２７】
エルボ２１は側面視略Ｌ字状の配管であって、上流側において洗濯機１００と連結されたジャバラ状の可撓管（図示せず）と連結し、その下方において後述する蓋部材１１の第一開口１２と連結している。即ち、エルボ２１は洗濯機１００からの排水が流入する第一流路２を構成する。
【００２８】
ここで、上記排水トラップ１は第一開口１２により洗濯機１００からの排水流路である第一流路２を形成するとともに、第二開口１３により防水パン２００からの排水流路である第二流路３を形成し、封水部９において第一流路２と第二流路３が合流する構造となっている。
【００２９】
上記構成から成る排水トラップ１は、防臭筒１４の下端が封水内に配置されるため、防臭筒１４の内外の流路は排水によって満水状態となっており、下流側から屋内に臭気や害虫が侵入することを防ぐことができるトラップ機能を形成している。
【００３０】
上記の排水トラップ１において、洗濯機１００より排水が生じた際の排水の流れは以下のようになる。
【００３１】
まず、洗濯機１００より生じた排水は可撓管、エルボ２１を通じて、第一流路２である第一開口１２より、防臭筒１４封水部９内へと流入する。この時、第一開口１２より流入した排水は防臭筒１４の内部を下方へ向けて流れ、封水部９の底面にてその流れを反転させ、防臭筒１４の外周と封水部９の内周によって形成された流路を上昇する。そして、封水部９の側面に設けられた切り欠き１０まで達した排水は封水部９の外側へと排出され、本体部７の排出口８より下水側へ向けて排出される。
この時、防臭筒１４を通過した排水の一部は第二流路３へと流入しようとするが、第二流路３に設けられた逆止め弁２０は弁体１９の内面同士が当接した状態となっており、第二流路３が閉塞されていることから、排水が防水パン２００上に溢れることはない。さらに、逆止め弁２０は平時において第二流路３を閉塞していることから、洗濯機１００からの排水に多量の泡が含まれている場合であっても、当該排水が第二流路３から逆流してしまうことはない。
そして、洗濯機１００からの排水が終了した際、当該排水の一部は封水部９の中に貯留され、再び封水を形成する。
【００３２】
次に、防水パン２００上に排水が生じた際の排水の流れは以下のようになる。
【００３３】
まず、防水パン２００上に排水が生じた際、当該排水は防水パン２００上を流れ、第二流路３である第二開口１３を通じて封水部９内へと流入する。
この時、図３に示すように、排水の自重／勢いにより弁体１９の内面が押し広げられ、第二流路３が開口されることにより、防水パン２００上に生じた排水は排水トラップ１内部へと流入する。（尚、図３においては参考として逆止め弁２０と排水の流れのみを記載し、排水の流れを２点鎖線にて記載している。）そして、封水部９の側面に設けられた切り欠き１０まで達した排水は封水部９の外側へと排出され、本体部７の排出口８より下水側へ向けて排出される。 
そして、防水パン２００上の排水が終了した際には、弁体１９は自身の弾性力によって再び閉塞状態となる。
【００３４】
即ち、本実施形態に設けられた逆止め弁２０は、略筒体状にして可撓性を有する素材からなり、一方へと流れようとする気体、液体、泡等の流体の圧力に対して弾性変形して筒体内部を開口して流体を通過させると共に、筒体の他方へと流れようとする流体の圧力に対しては逆止め弁２０の内面同士が当接して閉塞した状態を維持して流体の通過を防止する自封式逆止め弁２０として機能する。
【００３５】
本発明の第一実施形態は以上であるが、上記第一実施形態に係る排水トラップ１の逆止め弁２０は、平時において第二流路３を閉塞している状態を維持している。従って、洗濯機１００からの排水中に多量の泡が混入していたとしても、当該排水を防水パン２００上へと逆流させることはない。又、逆止め弁２０の下端は封水水面よりも上方に位置していることから、長期使用に伴う劣化が生じ難い。
又、逆止め弁２０は第二流路３より着脱可能であり、その清掃を容易に行うことができる。
【００３６】
次に、本発明の第二実施形態について図１、図４及び図５を用いて説明する。
【００３７】
図１に示すように、本実施形態に係る排水トラップ１は、設備機器としての洗濯機１００の下方に配置された防水パン２００の開口に取り付けられている。
【００３８】
防水パン２００は平面視略正方形であって、その四隅に洗濯機１００を載置するための台座部を備えるとともに、外周が壁部によって覆われた略箱状であり、底面において円形の開口を有している。当該開口には排水トラップ１が取り付けられている。
【００３９】
図４に示すように、排水トラップ１は、洗濯機１００及び防水パン２００上の排水を下水側へと排出処理するための部材であって、フランジ部４、本体部７、封水部９、蓋部材１１、逆止め弁２０、エルボ２１より構成されている。又、排水トラップ１は、洗濯機１００からの排水が流入する第一流路２と、防水パン２００からの排水が流入する第二流路３を有している。
上記排水トラップ１は封水部９の内部に排水が貯留可能であり、当該封水部９に貯留された排水を「封水」という。そして、当該封水が貯留されている状態において、下流からの臭気、害虫等が屋内へと逆流することを防ぐトラップ機能を形成することができる。
【００４０】
フランジ部４は円筒状であって、その上端において外側に延出された外フランジ５を有するとともに、下端において内側に延出された内フランジ６を有している。又、フランジ部４は外周において雄螺子が形成されており、後述する本体部７と螺合されている。尚、フランジ部４の外周は前記防水パン２００の開口よりも小径であり、外フランジ５は防水パン２００の開口よりも大径に形成されている。
【００４１】
本体部７は有底略円筒状にして側面に排出口８を備えるとともに上方に開口部を備え、当該開口部において上記フランジ部４の雄螺子部と螺合する雌螺子部が形成されている。
【００４２】
封水部９は有底筒状であってその上方が開口された箱状であって、側面上部において、周方向に複数の切り欠き１０が形成されている。切り欠き１０は略四角形であって、封水部９は切り欠き１０下端まで排水（封水）を貯留することができる。尚、封水部９はその上端がフランジ部４の下端に設けられた内フランジ部分に載置されている。
【００４３】
蓋部材１１は第一開口１２、第二開口１３、防臭筒１４、逆止め弁２０より構成された円形の蓋体であって、本体部７の上方を閉塞するとともに、その上端がフランジ部４の上端と略面一となるようにフランジ部４内部に配置されている。
第一開口１２は後述するエルボ２１が取り付けられて、洗濯機１００からの排水を流出させる第一流路２を形成する開口であって、裏面より防臭筒１４が延設されている。
第二開口１３は防水パン２００上に生じた排水を流出させる第二流路３を形成する開口であって、上方より逆止め弁２０が挿通されている。
防臭筒１４は第一開口１２の裏面より垂設された円筒部であって、施工完了状態において、防臭筒１４の下端は、前記封水部９の底面よりも上方且つ切り欠き１０の下端よりも下方に配置されている。
逆止め弁２０は取付部２２、弁体１９から構成された筒体であって、第二開口１３の上方から差し込まれることで着脱可能に取り付けられている。取付部２２は円筒状であって、下端には弁体１９が当接する当接部１６が形成されているとともに、弁体１９が回動可能に軸支されている。弁体１９は板体であって、一端側において当接部１６と当接する弁部分を有すると共に、軸支部分を挟んだ他端において重り２３が取り付けられている。ここで、逆止め弁２０が取り付けられた状態において、弁体１９は一端側に設けられた重り２３によって、他端側が上方へと持ち上げられて当接部１６と当接し、第二流路３を閉塞するよう力が加えられている。従って、逆止め弁２０に対して上流からの流体の流入や、下流からの流体の逆流が生じていない状態（以下、「平時」）において逆止め弁２０は閉塞状態を維持している。
【００４４】
エルボ２１は側面視略Ｌ字状の配管であって、上流側において洗濯機１００と連結されたジャバラ状の可撓管（図示せず）と連結し、その下方において後述する蓋部材１１の第一開口１２と連結している。即ち、エルボ２１は洗濯機１００からの排水が流入する第一流路２を構成する。
【００４５】
ここで、上記排水トラップ１は、第一開口１２により洗濯機１００からの排水流路である第一流路２を形成するとともに、第二開口１３により防水パン２００からの排水流路である第二流路３を形成し、封水部９において第一流路２と第二流路３が合流する構造となっている。
【００４６】
上記構成から成る排水トラップ１は、防臭筒１４の下端が封水内に配置されるため、防臭筒１４の内外の流路は排水によって満水状態となっており、下流側から屋内に臭気や害虫が侵入することを防ぐことができるトラップ機能を形成している。
【００４７】
上記の排水トラップ１において、洗濯機１００より排水が生じた際の排水の流れは以下のようになる。
【００４８】
まず、洗濯機１００より生じた排水は可撓管、エルボ２１を通じて、第一流路２である第一開口１２より、防臭筒１４を通り封水部９内へと流入する。この時、第一開口１２より流入した排水は防臭筒１４の内部を下方へ向けて流れ、封水部９の底面にてその流れを反転させ、防臭筒１４の外周と封水部９の内周によって形成された流路を上昇する。そして、封水部９の側面に設けられた切り欠き１０まで達した排水は封水部９の外側へと排出され、本体部７の排出口８より下水側へ向けて排出される。
この時、防臭筒１４を通過した排水の一部は第二流路３へと流入しようとするが、第二流路３に設けられた逆止め弁２０の弁体１９は当接部１６に当接した状態となっており、逆止め弁２０によって第二流路３が閉塞されていることから、排水が防水パン２００上に溢れることはない。又、洗濯機１００から多量の排水が生じた際には、当該排水は弁体１９を上方へ向けて付勢する方向に流れることから、弁体１９が当接部１６から離間することはない。さらに、逆止め弁２０は平時において第二流路３を閉塞していることから、洗濯機１００からの排水に多量の泡が含まれている場合であっても、当該排水が第二流路３から逆流してしまうことはない。
そして、洗濯機１００からの排水が終了した際、当該排水の一部は封水部９の中に貯留され、再び封水を形成する。
【００４９】
次に、防水パン２００上に排水が生じた際の排水の流れは以下のようになる。
【００５０】
まず、防水パン２００上に排水が生じた際、当該排水は防水パン２００上を流れ、第二流路３である第二開口１３を通じて封水部９内へと流入する。
この時、図５に示すように、排水の自重／勢いにより弁体１９が押し下げられて回動し、第二流路３が開口され、防水パン２００上に生じた排水は排水トラップ１内部へと流入する。（尚、図５においては参考として逆止め弁２０と排水の流れのみを記載し、排水の流れを２点鎖線にて記載している。）そして、封水部９の側面に設けられた切り欠き１０まで達した排水は封水部９の外側へと排出され、本体部７の排出口８より下水側へ向けて排出される。
そして、防水パン２００上の排水が終了した際には、排水によって押し下げられていた弁体１９が重り２３の重みによって回動し、当接部１６に当接することによって第二流路３を再び閉塞する。
【００５１】
即ち、本実施形態に設けられた逆止め弁２０は、一方へと流れようとする気体、液体、泡等の流体の圧力に対して弁体１９が回動することによって開口して流体を通過させると共に、他方へと流れようとする流体の圧力に対しては弁体１９が第二流路３を閉塞した状態を維持して流体の通過を防止するスイング式逆止め弁２０として機能する。
【００５２】
本発明の第二実施形態は以上であるが、上記第二実施形態に係る排水トラップ１の逆止め弁２０は、平時において第二流路３を閉塞している状態を維持している。従って、洗濯機１００からの排水中に多量の泡が混入していたとしても、当該排水を防水パン２００上へと逆流させることはない。
【００５３】
又、上記第二実施形態においては、重り２３を設けることにより平時において弁体１９と当接部１６を当接させていたが、重り２３の代わりにスプリングを用いて弁体１９を当接部１６と当接させても良い。又、磁石を用いて磁力により弁体１９を当接部１６と当接させても良い。
又、逆止め弁２０は第二流路３より着脱可能であり、その清掃を容易に行うことができる。
【００５４】
次に、本発明の第三実施形態について図１、図６及び図７を用いて説明する。
【００５５】
図１に示すように、本実施形態に係る排水トラップ１は、設備機器としての洗濯機１００の下方に配置された防水パン２００の開口に取り付けられている。
【００５６】
防水パン２００は平面視略正方形であって、その四隅に洗濯機１００を載置するための台座部を備えるとともに、外周が壁部によって覆われた略箱状であり、底面において円形の開口を有している。当該開口には排水トラップ１が取り付けられている。
【００５７】
図６に示すように、排水トラップ１は、洗濯機１００及び防水パン２００上の排水を下水側へと排出処理するための部材であって、フランジ部４、本体部７、封水部９、蓋部材１１、逆止め弁２０、エルボ２１より構成されている。又、排水トラップ１は、洗濯機１００からの排水が流入する第一流路２と、防水パン２００からの排水が流入する第二流路３を有している。
上記排水トラップ１は封水部９の内部に排水が貯留可能であり、当該封水部９に貯留された排水を「封水」という。そして、当該封水が貯留されている状態において、下流からの臭気、害虫等が屋内へと逆流することを防ぐトラップ機能を形成することができる。
【００５８】
フランジ部４は円筒状であって、その上端において外側に延出された外フランジ５を有するとともに、下端において内側に延出された内フランジ６を有している。又、フランジ部４は外周において雄螺子が形成されており、後述する本体部７と螺合されている。尚、フランジ部４の外周は前記防水パン２００の開口よりも小径であり、外フランジ５は防水パン２００の開口よりも大径に形成されている。
【００５９】
本体部７は有底略円筒状にして側面に排出口８を備えるとともに上方に開口部を備え、当該開口部において上記フランジ部４の雄螺子部と螺合する雌螺子部が形成されている。
【００６０】
封水部９は有底筒状であってその上方が開口された箱状であって、側面上部において、周方向に複数の切り欠き１０が形成されている。切り欠き１０は略四角形であって、封水部９は切り欠き１０下端まで排水（封水）を貯留することができる。尚、封水部９はその上端がフランジ部４の下端に設けられた内フランジ部分に載置されている。
【００６１】
蓋部材１１は第一開口１２、第二開口１３、防臭筒１４、逆止め弁２０より構成された円形の蓋体であって、本体部７の上方を閉塞するとともに、その上端がフランジ部４の上端と略面一となるようにフランジ部４内部に配置されている。
第一開口１２は後述するエルボ２１が取り付けられて、洗濯機１００からの排水を流出させる第一流路２を形成する開口であって、裏面より防臭筒１４が延設されている。
第二開口１３は防水パン２００上に生じた排水を流出させる第二流路３を形成する開口であって、上方より逆止め弁２０が挿通されている。
防臭筒１４は第一開口１２の裏面より垂設された円筒部であって、施工完了状態において、防臭筒１４の下端は、前記封水部９の底面よりも上方且つ切り欠き１０の下端よりも下方に配置されている。
逆止め弁２０は取付部２２、弁体１９、当接部１６から構成された筒体であって、第二開口１３の上方から差し込まれることで着脱可能に取り付けられている。取付部２２は円筒状であって、下端には弁体１９が当接する当接部１６が形成されているとともに、弁体１９が上下動可能に軸支されている。弁体１９は板状であって、下方より付勢機構として弾性体であるスプリング２４によって上方の当接部１６へと付勢されている。ここで、逆止め弁２０が取り付けられた状態において、弁体１９は付勢機構によって当接部１６と当接し、第二流路３を閉塞するよう力が加えられている。従って、逆止め弁２０に対して上流からの流体の流入や、下流からの流体の逆流が生じていない状態（以下、「平時」）において逆止め弁２０は閉塞状態を維持している。
【００６２】
エルボ２１は側面視略Ｌ字状の配管であって、上流側において洗濯機１００と連結されたジャバラ状の可撓管（図示せず）と連結し、その下方において後述する蓋部材１１の第一開口１２と連結している。即ち、エルボ２１は洗濯機１００からの排水が流入する第一流路２を構成する。
【００６３】
ここで、上記排水トラップ１は第一開口１２により洗濯機１００からの排水流路である第一流路２を形成するとともに、第二開口１３により防水パン２００からの排水流路である第二流路３を形成し、封水部９において第一流路２と第二流路３が合流する構造となっている。
【００６４】
上記構成から成る排水トラップ１は、防臭筒１４の下端が封水内に配置されるため、防臭筒１４の内外の流路は排水によって満水状態となっており、下流側から屋内に臭気や害虫が侵入することを防ぐことができるトラップ機能を形成している。
【００６５】
上記の排水トラップ１において、洗濯機１００より排水が生じた際の排水の流れは以下のようになる。
【００６６】
まず、洗濯機１００より生じた排水は可撓管、エルボ２１を通じて、第一流路２である第一開口１２より、防臭筒１４を通り封水部９内へと流入する。この時、第一開口１２より流入した排水は防臭筒１４の内部を下方へ向けて流れ、封水部９の底面にてその流れを反転させ、防臭筒１４の外周と封水部９の内周によって形成された流路を上昇する。そして、封水部９の側面に設けられた切り欠き１０まで達した排水は封水部９の外側へと排出され、本体部７の排出口８より下水側へ向けて排出される。
この時、防臭筒１４を通過した排水の一部は第二流路３へと流入しようとするが、第二流路３に設けられた逆止め弁２０の弁体１９は当接部１６に当接した状態となっており、逆止め弁２０によって第二流路３が閉塞されていることから、排水が防水パン２００上に溢れることはない。又、洗濯機１００から多量の排水が生じた際には、当該排水は弁体１９を上方へ向けて付勢する方向に流れることから、弁体１９が当接部１６から離間することはない。さらに、逆止め弁２０は平時において第二流路３を閉塞していることから、洗濯機１００からの排水に多量の泡が含まれている場合であっても、当該排水が第二流路３から逆流してしまうことはない。
そして、洗濯機１００からの排水が終了した際、当該排水の一部は封水部９の中に貯留され、再び封水を形成する。
【００６７】
次に、防水パン２００上に排水が生じた際の排水の流れは以下のようになる。
【００６８】
まず、防水パン２００上に排水が生じた際、当該排水は防水パン２００上を流れ、第二流路３である第二開口１３を通じて封水部９内へと流入する。
この時、図７に示すように、排水の自重／勢いにより弁体１９が下降し、第二流路３が開口され、防水パン２００上に生じた排水は排水トラップ１内部へと流入する。（尚、図７においては参考として逆止め弁２０と排水の流れのみを記載し、排水の流れを２点鎖線にて記載している。）そして、封水部９の側面に設けられた切り欠き１０まで達した排水は封水部９の外側へと排出され、本体部７の排出口８より下水側へ向けて排出される。
そして、防水パン２００上の排水が終了した際には、排水によって押し下げられていた弁体１９が付勢機構によって上昇し、当接部１６に当接することによって第二流路３を再び閉塞する。
【００６９】
即ち、本実施形態に設けられた逆止め弁２０は、弁体１９を当接部１６に向けて付勢する付勢機構を有し、一方へと流れようとする気体、液体、泡等の流体の圧力に対して弁体１９が下降することによって開口して流体を通過させると共に、他方へと流れようとする流体の圧力に対しては弁体１９が第二流路３を閉塞した状態を維持して流体の通過を防止するリフト式逆止め弁２０として機能する。
【００７０】
本発明の第三実施形態は以上であるが、上記第三実施形態に係る排水トラップ１の逆止め弁２０は、付勢機構により平時において第二流路３を閉塞している状態を維持している。従って、洗濯機１００からの排水中に多量の泡が混入していたとしても、当該排水を防水パン２００上へと逆流させることはない。
【００７１】
又、上記第三実施形態においては、付勢機構としてスプリング２４を用いたが、その他の弾性体を使用しても良く、又、磁力による反発を利用して付勢機構を構成しても良い。
又、逆止め弁２０は第二流路３より着脱可能であり、その清掃を容易に行うことができる。
【００７２】
本発明の実施形態は以上であるが、本発明の排水トラップは上記実施形態の形状に限られるものではない。例えば、図８及び図９に示すように、弁体１９として球体状のフロートを使用したフロート式且つスイング式逆止め弁２０である等、各実施形態において用いた構造を組み合わせる等、発明の要旨を逸脱しない範囲において、種々を加えても良い。
【符号の説明】
【００７３】
１      排水トラップ
２      第一流路
３      第二流路
４      フランジ部
５      外フランジ
６      内フランジ
７      本体部
８      排出口
９      封水部
１０    切り欠き
１１    蓋部材
１２    第一開口
１３    第二開口
１４    第一防臭筒、防臭筒
１５    第二防臭筒
１６    当接部
１７    ガイド部
１８    弁体押さえ
１９    弁体
２０    逆止め弁
２１    エルボ
２２    取付部
２３    重り
２４    スプリング
１００  洗濯機
２００  防水パン
【図１】
0006564987.tif 000002
【図２】
0006564987.tif 000003
【図３】
0006564987.tif 000004
【図４】
0006564987.tif 000005
【図５】
0006564987.tif 000006
【図６】
0006564987.tif 000007
【図７】
0006564987.tif 000008
【図８】
0006564987.tif 000009
【図９】
0006564987.tif 000010